(57)【要約】【課題】消費電力が小さく、植物の電照効果に優れた電球を提供する。【解決手段】  複数のＬＥＤ素子が直列につながれたＬＥＤ素子列と該ＬＥＤ素子列を搭載する基板とを有するＬＥＤフィラメント、該ＬＥＤフィラメントを覆うグローブ、及び該グローブに取り付けられた口金部を具備するＬＥＤフィラメント型電球であって、  前記ＬＥＤフィラメント型電球が植物電照用であり、  前記複数のＬＥＤ素子が単色のＬＥＤ素子であり、  前記ＬＥＤフィラメントが単色光を発光するものであることを特徴とするＬＥＤフィラメント型電球。【選択図】図１
2016091961.tif 000002
【特許請求の範囲】
【請求項１】
複数のＬＥＤ素子が直列につながれたＬＥＤ素子列と該ＬＥＤ素子列を搭載する基板とを有するＬＥＤフィラメント、該ＬＥＤフィラメントを覆うグローブ、及び該グローブに取り付けられた口金部を具備するＬＥＤフィラメント型電球であって、
前記ＬＥＤフィラメント型電球が植物電照用であり、
前記複数のＬＥＤ素子が単色のＬＥＤ素子であり、
前記ＬＥＤフィラメントが単色光を発光するものであることを特徴とするＬＥＤフィラメント型電球。
【請求項２】
前記基板が、前記ＬＥＤ素子の単色の発光波長に対して透明であることを特徴とする請求項１に記載のＬＥＤフィラメント型電球。
【請求項３】
前記ＬＥＤフィラメントが蛍光体を有さないものであることを特徴とする請求項１又は請求項２に記載のＬＥＤフィラメント型電球。
【請求項４】
前記ＬＥＤフィラメント型電球が前記ＬＥＤフィラメントを複数有し、該複数のＬＥＤフィラメントが同じ単色光を発光するもの又は異なる単色光を発光するものであることを特徴とする請求項１から請求項３のいずれか１項に記載のＬＥＤフィラメント型電球。
【請求項５】
前記口金部にＡＣ／ＤＣ変換回路を有するものであることを特徴とする請求項１から請求項４のいずれか１項に記載のＬＥＤフィラメント型電球。
【請求項６】
前記ＬＥＤフィラメント型電球の発光範囲が２７０°以上であることを特徴とする請求項１から請求項５のいずれか１項に記載のＬＥＤフィラメント型電球。
【請求項７】
前記ＬＥＤフィラメント型電球の下部に、更に反射フィルムが貼り付けられたものであることを特徴とする請求項１から請求項６のいずれか１項に記載のＬＥＤフィラメント型電球。
【請求項８】
前記ＬＥＤフィラメント型電球の下部に、更に内部に反射機能を持った傘が取り付けられたものであることを特徴とする請求項１から請求項７のいずれか１項に記載のＬＥＤフィラメント型電球。
【請求項９】
前記ＬＥＤフィラメント型電球の光の取り出し範囲が１８０°以下であることを特徴とする請求項７又は請求項８に記載のＬＥＤフィラメント型電球。
【請求項１０】
前記単色のＬＥＤ素子が、６２０〜７００ｎｍの間に発光波長を持つ赤色ＬＥＤ素子、７００〜１０００ｎｍの間に発光波長を持つ赤外色ＬＥＤ素子、１９０〜４００ｎｍの間に発光波長を持つ紫外色ＬＥＤ素子、４００〜４９０ｎｍの間に発光波長を持つ青色ＬＥＤ素子、４９０〜５７０ｎｍの間に発光波長を持つ緑色ＬＥＤ素子、又は５７０〜６２０ｎｍの間に発光波長を持つ黄色〜橙色ＬＥＤ素子のいずれかであることを特徴とする請求項１から請求項９のいずれか１項に記載のＬＥＤフィラメント型電球。
【発明の詳細な説明】
【技術分野】
【０００１】
本発明は、ＬＥＤフィラメント型電球に関する。
【背景技術】
【０００２】
花卉、果実などの植物を、電照を用いて栽培することが一般的に行われている。具体的には、人工光を用いて日長時間を長くしたり、夜間に人工光を点灯して夜の時間を短く感じさせたりすることが行われている。今までは、一般に白熱電球が使われてきた（特許文献１）。しかしながら、白熱電球は消費電力が６０Ｗ前後と大きく、低効率であることが問題になっていた。また白熱電球は今後の生産がなくなる方向である。また電球タイプのＬＥＤ（発光ダイオード）も市販されており、消費電力は６Ｗ前後となっているが、白色電球であり電照には使われない波長を多く含んでおり、電照の効果が乏しいことが課題となっていた。また、ＬＥＤから放出される熱への対策が必要であり、ヒートシンクが設けられているのが通常である。このため高価になることと、ヒートシンクで重くなってしまうことが問題となっていた。
【０００３】
一方、白熱電球に代替するＬＥＤランプとして、ＬＥＤフィラメント型電球が提案されている。このフィラメントタイプのＬＥＤ電球は、基台（例えば、透明な基台）の上にＬＥＤ素子をマウントして通電できるようにしたＬＥＤフィラメント（フィラメントタイプＬＥＤ）を有するものである。しかしながら、従来のＬＥＤフィラメント型電球は照明といての白熱電球の代替用であるため、白色光、すなわち、植物の電照に使われない波長が多く含まれている光を発するものであった。
【先行技術文献】
【特許文献】
【０００４】
【特許文献１】特開平７−２２０００号公報
【発明の概要】
【発明が解決しようとする課題】
【０００５】
本発明は、上記問題点に鑑みてなされたものであって、消費電力が小さく、植物の電照効果に優れた電球を提供することを目的とする。
【課題を解決するための手段】
【０００６】
上記目的を達成するために、本発明では、複数のＬＥＤ素子が直列につながれたＬＥＤ素子列と該ＬＥＤ素子列を搭載する基板とを有するＬＥＤフィラメント、該ＬＥＤフィラメントを覆うグローブ、及び該グローブに取り付けられた口金部を具備するＬＥＤフィラメント型電球であって、
前記ＬＥＤフィラメント型電球が植物電照用であり、
前記複数のＬＥＤ素子が単色のＬＥＤ素子であり、
前記ＬＥＤフィラメントが単色光を発光するものであることを特徴とするＬＥＤフィラメント型電球を提供する。
【０００７】
このようなＬＥＤフィラメント型電球は単色光を発光するものであるため、電照効果に優れる。また、ＬＥＤフィラメントを具備する電球であるため、光取り出し効率が高い。従って、消費電力が小さくても照度の高いＬＥＤ電球とすることができる。
【０００８】
また、前記基板が、前記ＬＥＤ素子の単色の発光波長に対して透明であることが好ましい。
【０００９】
このようなＬＥＤフィラメント型電球であれば、光取り出し効率をより向上させることができる。
【００１０】
また、前記ＬＥＤフィラメントが蛍光体を有さないものであることが好ましい。
【００１１】
このようなＬＥＤフィラメント型電球であれば、単色光を更に効率よく取り出すことができる。
【００１２】
また、前記ＬＥＤフィラメント型電球が前記ＬＥＤフィラメントを複数有し、該複数のＬＥＤフィラメントが同じ単色光を発光するもの又は異なる単色光を発光するものであることが好ましい。
【００１３】
複数のＬＥＤフィラメントが同じ単色光を発光するＬＥＤフィラメント型電球であれば、一種類の単色光を必要とする植物を栽培する際の電球として好適である。また、複数のＬＥＤフィラメントが異なる単色光を発光するものであるＬＥＤフィラメント型電球であれば、二種類以上の単色光を必要とする植物を栽培する際の電球として好適である。
【００１４】
また、前記口金部にＡＣ／ＤＣ変換回路を有するものであることが好ましい。
【００１５】
このようなＬＥＤフィラメント型電球であれば、通電する電流を交流からＬＥＤに適した直流に変換することができる。
【００１６】
また、前記ＬＥＤフィラメント型電球の発光範囲が２７０°以上であることが好ましい。
【００１７】
このようなＬＥＤフィラメント型電球であれば、より明るい電球となる。
【００１８】
また、前記ＬＥＤフィラメント型電球の下部に、更に反射フィルムが貼り付けられたものであることが好ましい。
【００１９】
また、前記ＬＥＤフィラメント型電球の下部に、更に内部に反射機能を持った傘が取り付けられたものであることが好ましい。
【００２０】
このようなＬＥＤフィラメント型電球であれば、電球の下部に放出された光を電球の上部方向へ反射させることができるので、栽培する植物に効率よく単色光を照射することができる。
【００２１】
この場合、前記ＬＥＤフィラメント型電球の光の取り出し範囲が１８０°以下であることが好ましい。
【００２２】
このようなＬＥＤフィラメント型電球であれば、単色光の照射方向を栽培する植物が存在する方向のみに限定することができる。
【００２３】
また、前記単色のＬＥＤ素子が、６２０〜７００ｎｍの間に発光波長を持つ赤色ＬＥＤ素子、７００〜１０００ｎｍの間に発光波長を持つ赤外色ＬＥＤ素子、１９０〜４００ｎｍの間に発光波長を持つ紫外色ＬＥＤ素子、４００〜４９０ｎｍの間に発光波長を持つ青色ＬＥＤ素子、４９０〜５７０ｎｍの間に発光波長を持つ緑色ＬＥＤ素子、又は５７０〜６２０ｎｍの間に発光波長を持つ黄色〜橙色ＬＥＤ素子のいずれかであることが好ましい。
【００２４】
このようなＬＥＤフィラメント型電球であれば、栽培する植物に応じた単色光を発するものとすることができる。
【発明の効果】
【００２５】
本発明のＬＥＤフィラメント型電球は、単色光を発光するものであるため、電照効果に優れる。また、ＬＥＤフィラメントを具備する電球であるため、光取り出し効率が高い。従って、消費電力が小さくても照度の高いＬＥＤ電球とすることができる。また、ＬＥＤフィラメントを電球に搭載したものであるため、ヒートシンク等の重量の大きい放熱部材を具備しなくてもよい。これにより、軽く高効率なＬＥＤ電球とすることができる。また、植物への効果に応じて、様々な波長のＬＥＤ素子を選択して搭載することができる。これにより、電照効果により優れた電球とすることができる。
【図面の簡単な説明】
【００２６】
【図１】本発明のＬＥＤフィラメント型電球の一例を示す図である。
【図２】ＬＥＤフィラメントの構造の一例を示す図である。
【図３】ＬＥＤフィラメント型電球の発光範囲を説明する説明図である。
【図４】本発明のＬＥＤフィラメント型電球の一例を示す図である。
【図５】本発明のＬＥＤフィラメント型電球の一例を示す図である。
【図６】ＬＥＤフィラメント型電球の光の取り出し範囲を説明する説明図である。
【発明を実施するための形態】
【００２７】
以下、本発明をより詳細に説明する。
【００２８】
上記のように、消費電力が小さく、植物の電照効果に優れた電球が求められている。
【００２９】
本発明者らは、上記目的を達成するために鋭意検討を行った。その結果、複数のＬＥＤ素子が直列につながれたＬＥＤ素子列と該ＬＥＤ素子列を搭載する基板とを有するＬＥＤフィラメント、該ＬＥＤフィラメントを覆うグローブ、及び該グローブに取り付けられた口金部を具備するＬＥＤフィラメント型電球であって、前記ＬＥＤフィラメント型電球が植物電照用であり、前記複数のＬＥＤ素子が単色のＬＥＤ素子であり、前記ＬＥＤフィラメントが単色光を発光するものであるＬＥＤフィラメント型電球が、上記課題を解決できることを見出し、本発明を完成させた。
【００３０】
以下、本発明の実施の形態について図面を参照して具体的に説明するが、本発明はこれらに限定されるものではない。
【００３１】
図１は、本発明のＬＥＤフィラメント型電球の一例を示す図である。図１に示すように本発明のＬＥＤフィラメント型電球１０は、ＬＥＤフィラメント１１、該ＬＥＤフィラメント１１を覆うグローブ１２、及び該グローブ１２に取り付けられた口金部１３を具備する。
【００３２】
図２は、ＬＥＤフィラメントの構造の一例を示す図である。図２に示すように本発明におけるＬＥＤフィラメント１１は、複数のＬＥＤ素子１４が直列につながれたＬＥＤ素子列と該ＬＥＤ素子列２１を搭載する基板１５とを有する。複数のＬＥＤ素子１４は、例えば、電線１６を用いて直列に接続することができる。なお、図２におけるＬＥＤ素子１４の上下に示される矢印は、ＬＥＤ素子１４が発する光の方向の一例を示すものである。
【００３３】
本発明のＬＥＤフィラメント型電球１０は、複数のＬＥＤ素子１４が同じ単色のＬＥＤ素子である。また、ＬＥＤフィラメント１１がＬＥＤ素子と同じ単色光を発光するものである。このように、本発明のＬＥＤフィラメント型電球は、植物の栽培に必要な波長の単色光を発光することができるものであり、電照効果に優れるものである。また、ＬＥＤフィラメントを具備する電球であるため、光取り出し効率が高い。従って、消費電力が小さくても照度の高いＬＥＤ電球とすることができる。ここで、本発明における単色のＬＥＤ素子とは、例えば、発光波長の半値幅が１５ｎｍ以下の光を発することができるＬＥＤ素子のことである。本発明における単色光とは、例えば、発光波長の半値幅が１５ｎｍ以下の光のことである。従って、例えば波長変換用の蛍光体等を用いて、ＬＥＤフィラメントの発光波長域がブロードにされたようなものは含まれない。
【００３４】
また、本発明では、一つのＬＥＤフィラメント１１に搭載される複数のＬＥＤ素子１４のピーク発光波長（発光強度が最大となる波長）のバラツキが１０ｎｍ以下であることが望ましい。また、各ＬＥＤ素子１４は、発光スペクトル中に単一のピークのみを有するものであることが好ましい。一つのＬＥＤフィラメント１１に搭載されるＬＥＤ素子１４の数は、例えば、５〜３０個とすることができる。
【００３５】
本発明では、ＬＥＤフィラメント型電球１０が植物電照用である。上記のように本発明のＬＥＤフィラメントは単色光を発光するものであるため、電照効果に優れる。従って、植物電照用として好適に用いることができる。
【００３６】
ＬＥＤフィラメント型電球１０のグローブ１２内部の構造については、ＬＥＤフィラメント１１を有するものであれば、特に限定されない。公知のＬＥＤフィラメント型電球と同様の構造とすることができる。例えば、図１に示すように、口金部１３上に設置された棒状部材１７とＬＥＤフィラメント１１とを電線１８で接続した構造を挙げることができる。これにより口金部１３からＬＥＤフィラメント１１へ給電することができる。
【００３７】
グローブ１２を構成する材料は特に限定されない。例えば、ガラス、樹脂等の透光性材料を挙げることができる。また、口金部１３を構成する材料も特に限定されず、例えば、金属材料を挙げることができる。また、棒状部材１７を構成する材料も特に限定されず、例えば、金属材料を挙げることができる。
【００３８】
グローブ１２、口金部１３及び棒状部材１７の形状も特に限定されず、公知のＬＥＤフィラメント型電球に用いられるものと同様の形状とすることができる。
【００３９】
また、基板１５が、ＬＥＤ素子１４の単色の発光波長に対して透明であることが好ましい。このようなＬＥＤフィラメント型電球であれば、従来の不透明な基板を用いた電球タイプのＬＥＤと比べて、後述する電球の発光範囲をより広くすることができ、光取り出し効率をより向上させることができる。なお、基板１５を構成する材料は特に限定されないが、単色の発光波長に対して透明であるものとしては、ガラス、結晶質材料、樹脂等を挙げることができる。
【００４０】
また、ＬＥＤフィラメント１１が蛍光体を有さないものであることが好ましい。このようなＬＥＤフィラメント型電球であれば、発光波長域がブロードになって、白色光、すなわち、電照に使われない波長が多く含まれている光を発することがなく、単色光を更に効率よく取り出すことができる。
【００４１】
また、ＬＥＤフィラメント型電球１０がＬＥＤフィラメント１１を複数有し、該複数のＬＥＤフィラメントが同じ単色光を発光するもの又は異なる単色光を発光するものであることが好ましい。複数のＬＥＤフィラメントが同じ単色光を発光するＬＥＤフィラメント型電球であれば、一種類の単色光を必要とする植物を栽培する際の電球として好適である。また、複数のＬＥＤフィラメントが異なる単色光を発光するものであるＬＥＤフィラメント型電球であれば、二種類以上の単色光を必要とする植物を栽培する際の電球として好適である。この場合、ＬＥＤフィラメント１１の数は、例えば、２〜６個とすることができる。図１ではＬＥＤフィラメント１１が４個の場合を例示している。なお、ＬＥＤフィラメント１１は１個でもよい。
【００４２】
複数のＬＥＤフィラメントが異なる単色光を発光するものであるＬＥＤフィラメント型電球である場合、ＬＥＤフィラメントの組み合わせについては特に限定されない。例えば、後述の赤色ＬＥＤ素子のみを有するＬＥＤフィラメントを２個、青色ＬＥＤ素子のみを有するＬＥＤフィラメントを１個具備するＬＥＤフィラメント型電球とすることができる。
【００４３】
また、口金部１３にＡＣ／ＤＣ変換回路（不図示）を有するものであることが好ましい。このようなＬＥＤフィラメント型電球であれば、通電する電流を交流からＬＥＤに適した直流に変換することができる。
【００４４】
図３は、ＬＥＤフィラメント型電球の発光範囲を説明する説明図である。図３に示すように、ＬＥＤフィラメント型電球の発光範囲３０が２７０°以上であることが好ましい。このようなＬＥＤフィラメント型電球であれば、より明るい電球となる。発光範囲を２７０°以上とする手段は特に限定されない。例えば、ＬＥＤフィラメント１１を図１及び図３に示すように配置することで発光範囲を２７０°以上とすることができる。なお、発光範囲３０は、図３の破線で示す部分を通る断面（電球の中心軸を通る断面）において、電球が光を放出することができる角度範囲のことである。
【００４５】
図４は、本発明のＬＥＤフィラメント型電球の一例を示す図である。図４に示すように、ＬＥＤフィラメント型電球の下部に、更に反射フィルム１９が貼り付けられたものであることが好ましい。図５は、本発明のＬＥＤフィラメント型電球の一例を示す図である。図５に示すように、ＬＥＤフィラメント型電球の下部に、更に内部に反射機能を持った傘２０が取り付けられたものであることが好ましい。図４及び図５に示すＬＥＤフィラメント型電球であれば、電球の下部に放出された光を電球の上部方向へ反射させることができるので、栽培する植物に効率よく単色光を照射することができる。
【００４６】
反射フィルム１９を構成する材料は特に限定されず、例えば、金属材料を挙げることができる。反射機能を持った傘２０を構成する材料も特に限定されず、例えば、金属材料を挙げることができる。
【００４７】
図６は、ＬＥＤフィラメント型電球の光の取り出し範囲を説明する説明図である。図６に示すように、ＬＥＤフィラメント型電球の光の取り出し範囲４０が１８０°以下であることが好ましい。このようなＬＥＤフィラメント型電球であれば、単色光の照射方向を栽培する植物が存在する方向のみに限定することができる。例えば、図４に示す反射フィルム１９や図５に示す反射機能を持った傘２０を配置することで光の取り出し範囲を１８０°以下とすることができる。なお、光の取り出し範囲４０は、図６の破線で示す部分を通る断面（電球の中心軸を通る断面）において、実際に電球から放出される光の範囲のことである。
【００４８】
図４及び図５に示すように、下部に放出された光を上部方向へ反射させることで光の取り出し範囲のみを狭くした電球であれば、下部に放出された光が基板等に吸収されて発光範囲及び光の取り出し範囲が狭くなる従来の電球タイプのＬＥＤに比べて、消費電力が小さくても照度の高いＬＥＤ電球とすることができる。なお、図４及び図５では、光の取り出し範囲４０が１８０°以下である場合を示しているが、反射機能を持った傘２０等の形状を変更することで、光の取り出し範囲４０を１８０°以上とすることも可能である。
【００４９】
また、単色のＬＥＤ素子が、６２０〜７００ｎｍの間に発光波長を持つ赤色ＬＥＤ素子、７００〜１０００ｎｍの間に発光波長を持つ赤外色ＬＥＤ素子、１９０〜４００ｎｍの間に発光波長を持つ紫外色ＬＥＤ素子、４００〜４９０ｎｍの間に発光波長を持つ青色ＬＥＤ素子、４９０〜５７０ｎｍの間に発光波長を持つ緑色ＬＥＤ素子、又は５７０〜６２０ｎｍの間に発光波長を持つ黄色〜橙色ＬＥＤ素子のいずれかであることが好ましい。このようなＬＥＤフィラメント型電球であれば、栽培する植物に応じた単色光を発するものとすることができる。これらのＬＥＤ素子は、上記の発光波長を持つ単色のものであれば特に限定されないが、ピーク発光波長が上記の波長の範囲に含まれているものであることが好ましい。
【００５０】
赤色ＬＥＤ素子としては、例えば、ピーク発光波長が６６０ｎｍ付近のものを挙げることができる。赤色ＬＥＤ素子の材料としてはＡｌＧａＩｎＰを挙げることができる。赤色ＬＥＤ素子を有するＬＥＤフィラメント型電球であれば、菊等の短日植物の開花日をコントロールすることができる。また、植物中のフィトクロムという光受容体を活性化させ、植物の光合成を促進させることができる。
【００５１】
赤外色ＬＥＤ素子としては、例えば、ピーク発光波長が７３０ｎｍ付近のものを挙げることができる。赤外色ＬＥＤ素子の材料としてはＡｌＧａＡｓを挙げることができる。赤外色ＬＥＤ素子を有するＬＥＤフィラメント型電球であれば、草丈、ビタミンＣ含有量を増加させることができる。また、植物の避陰効果を促進させることができる。
【００５２】
紫外色ＬＥＤ素子としては、例えば、ピーク発光波長が３５５ｎｍ付近のものを挙げることができる。紫外色ＬＥＤ素子の材料としてはＡｌＧａＮ（アルミニウムガリウムナイトライド）を挙げることができる。紫外色ＬＥＤ素子を有するＬＥＤフィラメント型電球であれば、植物の栄養成分を増やすことができ、うどんこ病等の病害の発生を防ぐことができる。
【００５３】
青色ＬＥＤ素子としては、例えば、ピーク発光波長が４３０ｎｍ付近のものを挙げることができる。青色ＬＥＤ素子の材料としてはＩｎＧａＮ（インジウムガリウムナイトライド）を挙げることができる。青色ＬＥＤ素子を有するＬＥＤフィラメント型電球であれば、青色ＬＥＤ素子が紫外色ＬＥＤ素子よりも安価であるため、より低コストでうどんこ病等の病害の発生を防ぐことができる。
【００５４】
緑色ＬＥＤ素子としては、例えば、ピーク発光波長が５６０ｎｍ付近のものを挙げることができる。緑色ＬＥＤ素子の材料としてはＩｎＧａＮまたはＧａＰを挙げることができる。緑色ＬＥＤ素子を有するＬＥＤフィラメント型電球であれば、病気に強い株を育てることができ、炭そ病の発生率を低減させることができる。
【００５５】
黄色〜橙色ＬＥＤ素子としては、例えば、ピーク発光波長が５９０ｎｍ付近のものを挙げることができる。黄色〜橙色ＬＥＤ素子の材料としてはＡｌＧａＩｎＰを挙げることができる。黄色〜橙色ＬＥＤ素子を有するＬＥＤフィラメント型電球であれば、ガ等の害虫を忌避させる効果に優れるものとなる。
【実施例】
【００５６】
以下、実施例及び比較例を示して本発明をより具体的に説明するが、本発明はこの実施例に限定されるものではない。
【００５７】
（実施例１）
図１に示すＬＥＤフィラメント型電球を用いて短日植物である菊の栽培を行った。単色のＬＥＤ素子として、波長６６０ｎｍの赤色ＬＥＤ素子を用いた。電照することで開花日を遅らせるようにした。表１に実施例１の結果を示す。
【００５８】
（比較例１〜３）
比較例１は白熱電球、比較例２は白色ＬＥＤ電球を用いて菊の栽培を行った。比較例３は無電照で菊の栽培を行った。表１に比較例１〜３の結果を示す。
【００５９】
【表１】
2016091961.tif 000003
【００６０】
表１に示すように、実施例１は消費電力が小さく、また、平均出蕾日及び平均採花日を遅らせることができた。一方、白熱電球を用いた比較例１では、平均出蕾日及び平均採花日を遅らせることができたものの、消費電力が非常に大きかった。白色ＬＥＤ電球を用いた比較例２では、平均出蕾日及び平均採花日を遅らせることができたものの、その結果は実施例１や白熱電球を用いた比較例１に劣るものであった。また、比較例２の消費電力は実施例１に比べて大きかった。無電照である比較例３では、平均出蕾日及び平均採花日を遅らせることができなかった。
【００６１】
（実施例２）
図１に示すＬＥＤフィラメント型電球を用いてイチゴの栽培を行った。単色のＬＥＤ素子として、波長６６０ｎｍの赤色ＬＥＤ素子を用いた。電照することで収穫量の増加を試みた。表２に実施例２の結果を示す。
【００６２】
（比較例４、５）
比較例４は白熱電球を用いてイチゴの栽培を行った。比較例５は無電照でイチゴの栽培を行った。表２に比較例４、５の結果を示す。
【００６３】
【表２】
2016091961.tif 000004
【００６４】
表２に示すように、実施例２は消費電力が小さく、平均株長及びイチゴ収量の結果が良好であった。白熱電球を用いた比較例４では消費電力が非常に大きかった。また、イチゴ収量は実施例２に比べて少なかった。無電照である比較例５では、平均株長及びイチゴ収量の結果が悪かった。
【００６５】
（実施例３）
紫外光や青色光には、うどんこ病等の病害の発生を防ぐ効果が期待されている。そこで、本発明のＬＥＤフィラメント型電球を用いてイチゴに対するうどんこ病発生株数の調査を行った。照射後３０日でのうどんこ病発生株数の比較を行った。
【００６６】
具体的には、図１に示すＬＥＤフィラメント型電球を用いてイチゴの栽培を行った。単色のＬＥＤ素子として、ピーク発光波長が３５５ｎｍの紫外色ＬＥＤ素子を用いた。表３に実施例３の結果を示す。
【００６７】
（実施例４）
単色のＬＥＤ素子として、ピーク発光波長が４５０ｎｍの青色ＬＥＤ素子を用いた以外は、実施例３と同様の条件でイチゴの栽培を行った。表３に実施例４の結果を示す。
【００６８】
（比較例６）
比較例６は無電照でイチゴの栽培を行った。表３に比較例６の結果を示す。
【００６９】
【表３】
2016091961.tif 000005
【００７０】
表３に示すように、実施例３、４では、無電照である比較例６に比べてうどんこ病発生株数を減らすことができた。紫外光を照射した実施例３では青色光を照射した実施例４に比べて更にうどんこ病の発生を抑えることができた。
【００７１】
（実施例５）
緑色の光には、病気に強い株を育てる効果があることが知られている。実施例５では、図１に示すＬＥＤフィラメント型電球を用いてイチゴの栽培を行った。単色のＬＥＤ素子として、ピーク発光波長が５６５ｎｍの緑色ＬＥＤ素子を用いた。表４に実施例５の結果を示す。なお、表４には上記の比較例４、５の平均株長及びイチゴ収量のデータも併記してある。
【００７２】
【表４】
2016091961.tif 000006
【００７３】
表４に示すように、実施例５は、白熱電球を用いた比較例４と同程度の平均株長及びイチゴ収量であったが、比較例４、無電照である比較例５に比べて炭そ病の発生率が優位に低減した。
【００７４】
（実施例６）
黄色の光には、ガを忌避させる効果があることが知られている。夜行性の害虫である夜ガ類は、夜になると活発に活動し、昼になり一定以上の明るさになると行動しなくなる性質を持つ。夜間に光を当てることによって、夜ガ類に昼間と勘違いさせて、植物を食べたり、交尾、産卵活動をしたりするのを抑制することができるため、電照による忌避効果は従来から知られていた。そこで、菊栽培畑にて、テストを行った。
【００７５】
具体的には、図１に示すＬＥＤフィラメント型電球を用いて菊の栽培を行った。単色のＬＥＤ素子として、ピーク発光波長が５９０ｎｍの黄色ＬＥＤ素子を用いた。この電球を２ｍの高さに設置し、試験を行った。調査本数は１００本とした。８月〜１２月まで、午後６時から午前６時の１２時間点灯し、害虫被害数を調査した。主に葉の食害を調査した。表５に実施例６の結果を示す。
【００７６】
（比較例７）
比較例７は無電照で菊の栽培を行った。表５に比較例７の結果を示す。
【００７７】
【表５】
2016091961.tif 000007
【００７８】
表５に示すように、実施例６は、無電照である比較例７に比べて害虫被害数が少なかった。
【００７９】
（実施例７）
植物には、赤外光を吸収する吸収色素があることが知られている。そこで、本発明のＬＥＤフィラメント型電球を用いて赤外光の効果の調査を行った。ただし赤外光のみでは植物育成させる効果が少ないため、基準光として蛍光灯を用い、それに赤外光を足して試験を行った。試験は小松菜で行い、草丈、ビタミンＣ含有量に対する調査を行った。
【００８０】
具体的には、赤外光を発する電球として、図１に示すＬＥＤフィラメント型電球を用いて小松菜の栽培を行った。単色のＬＥＤ素子として、波長７３０ｎｍの赤外色ＬＥＤ素子を用いた。表６に実施例７の結果を示す。
【００８１】
（比較例８）
比較例８は蛍光灯のみで小松菜の栽培を行った。表６に比較例８の結果を示す。
【００８２】
【表６】
2016091961.tif 000008
【００８３】
表６に示すように、実施例７は蛍光灯のみで小松菜の栽培を行った比較例８に比べて草丈は増え、ビタミンＣが増加する効果があった。
【００８４】
上記の実施例１〜７に示すように本発明のＬＥＤフィラメント型電球は、消費電力が小さく、電照効果に優れた電球であるということがわかる。
【００８５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００８６】
１０…ＬＥＤフィラメント型電球、  １１…ＬＥＤフィラメント、  １２…グローブ、
１３…口金部、  １４…ＬＥＤ素子、  １５…基板、  １６…電線、  １７…棒状部材、
１８…電線、  １９…反射フィルム、  ２０…反射機能を持った傘、
２１…ＬＥＤ素子列、  ３０…発光範囲、  ４０…光の取り出し範囲。
【図２】
2016091961.tif 000009
【図１】
2016091961.tif 000010
【図３】
2016091961.tif 000011
【図４】
2016091961.tif 000012
【図５】
2016091961.tif 000013
【図６】
2016091961.tif 000014
【手続補正書】
【提出日】平成27年10月19日(2015.10.19)
【手続補正１】
【補正対象書類名】明細書
【補正対象項目名】０００３
【補正方法】変更
【補正の内容】
【０００３】
一方、白熱電球に代替するＬＥＤランプとして、ＬＥＤフィラメント型電球が提案されている。このフィラメントタイプのＬＥＤ電球は、基台（例えば、透明な基台）の上にＬＥＤ素子をマウントして通電できるようにしたＬＥＤフィラメント（フィラメントタイプＬＥＤ）を有するものである。しかしながら、従来のＬＥＤフィラメント型電球は照明としての白熱電球の代替用であるため、白色光、すなわち、植物の電照に使われない波長が多く含まれている光を発するものであった。